(57)【特許請求の範囲】
【請求項１】
少なくとも第一及び第二の光電子活性領域を有し、これらの領域は、並んで配置され、前記第一及び第二の光電子活性領域は、後部電極と前部電極とを少なくとも有し、これらの間には、有機光電子材料が挟まれており、前記第一の光電子活性領域の後部電極、有機光電子材料、前部電極が、前記第二の光電子活性領域の後部電極、有機光電子材料、前部電極と、間隙領域によって分離され、前記後部電極が反射性であり、前記第一及び第二の光電子活性領域に重ね合わされたカバー層が、前記第一及び第二の光電子活性領域と前記間隙領域との複合表面を少なくとも覆い、前記カバー層は、少なくとも部分的に加水分解されたシリカゾルから成る透明マトリクスに分散された第一の材料の光散乱粒子を有する材料を有し、前記カバー層は、５０乃至９５％の範囲の反射率を持つ、光電子デバイス。
【請求項２】
前記光電子材料がエレクトロルミネセンス材料である、請求項１に記載のデバイス。
【請求項３】
前記有機光電子材料が有機太陽光発電材料である、請求項１に記載のデバイス。
【請求項４】
前記カバー層が前記少なくとも１つの光電子活性領域に重ね合わされ、前記少なくとも１つの光電子活性領域の全表面を少なくとも覆う、請求項１乃至３のいずれか一項に記載のデバイス。
【請求項５】
前記透明マトリクスがシリカゾルゲルである、請求項１乃至４のいずれか一項に記載のデバイス。
【請求項６】
前記第一の材料の前記粒子の屈折率が前記透明マトリクスの屈折率よりも高い、請求項１乃至５のいずれか一項に記載のデバイス。
【請求項７】
前記第一の材料の前記粒子の屈折率が少なくとも２．０である、請求項６に記載のデバイス。
【請求項８】
前記第一の材料が、ＴｉＯ２アナターゼ、ＴｉＯ２ルチル、ＺｒＯ２、Ｔａ２Ｏ５、ＺｎＳｅ、ＺｎＳ、及びこれらの２つ以上の混合物から成る群から選択される、請求項７に記載のデバイス。
【請求項９】
前記粒子が前記カバー層材料の１０乃至約８０重量％を占める、請求項５乃至８のいずれか一項に記載のデバイス。
【請求項１０】
前記第一の材料の前記粒子の平均粒径が１００乃至１０００ｎｍの範囲にある、請求項５乃至９のいずれか一項に記載のデバイス。
【請求項１１】
前記透明マトリクスが色染料を有する、請求項１乃至１０のいずれか一項に記載のデバイス。
【請求項１２】
フレームに配置される請求項１乃至１１のいずれか一項に記載のデバイスを有する装置であって、前記フレームが前記デバイスの外側縁を少なくとも部分的に囲み、前記カバー層が、少なくとも１つの前記デバイスと、前記フレームの少なくとも一部分を覆う、装置。
【請求項１３】
光電子デバイスを提供するステップと、
前記第一の材料の粒子が中に分散された、任意に前加水分解されたシリカゾルを提供するステップと、
前記光電子デバイスの前記前部電極の前に前記シリカゾルの層を配置するステップと、
前記層を乾燥させるステップとを有する、請求項５に記載のデバイスの製造のための方法。
【発明の詳細な説明】
【技術分野】
【０００１】
本発明は、間に有機光電子材料が挟まれる後部電極と前部電極を少なくとも有し、該後部電極が反射性である、少なくとも１つの光電子活性領域と、該前部電極の前に配置されるカバー層とを有する、光電子デバイスに関する。
【背景技術】
【０００２】
ＯＬＥＤ（有機発光ダイオード）及びＯＰＶ（有機太陽光発電）技術が、異なるタイプの照明／再充電用途に代わるものとして出現している。ＯＬＥＤ及びＯＰＶは有機光電子デバイスと総称される。一般的に、有機光電子デバイスは２つの電極を有し、この間に有機光電子材料が挟まれる。
【０００３】
ＯＬＥＤにおいて、有機光電子材料はエレクトロルミネセンス材料である。電流が電極間に流されると、有機エレクトロルミネセンス材料は発光する。
【０００４】
ＯＰＶデバイスにおいて、光電子材料は有機太陽光発電材料であり、これは、電極間に電圧を生じるために、光子を集めてそれを負と正の電荷に変える。
【０００５】
有機光電子デバイスの柔軟性のために、これらは柔軟性用途において、すなわちデバイスが通常動作中に曲げられ得るか、又は曲面上にあり、例えばＯＬＥＤの場合には曲面ディスプレイデバイス若しくは照明システムをもたらす用途において、有利に使用され得る。
【０００６】
この文脈において、少なくとも今日の技術の欠点は、高い光利用を得るために、光電子材料を挟む陽極電極及び陰極電極のうちの一方が高反射性であることである。従ってデバイスはミラー状の外観を持ち、これは用途によっては望ましくない。例えば、オフ状態におけるＯＬＥＤの外観が重要であり、これを改良するために異なる解決法が提案されている。
【０００７】
Ｄｕｇｇａｌ  ｅｔ  ａｌ．のＵＳ  ６  ５０１  ２１８は、ＯＬＥＤ技術を利用する屋外標識用のデバイス構造を記載している。ここで、文字又は数字などの標識にパターン化されるＯＬＥＤは、発光ＯＬＥＤ領域を覆う高散乱性で非吸収性のコーティングと、非発光領域を覆う高吸収性コーティングと組み合わされる。その結果、標識（文字、数字）を形成する高散乱性材料と、標識の輪郭を形成する高吸収性コーティングの組み合わせのおかげで、低周辺光レベル条件下でもＯＬＥＤ光によって見ることができる標識が得られる。
【０００８】
ＵＳ  ６  ５０１  ２１８はＯＬＥＤの上部の散乱性エナメルコーティングの使用を開示している。しかしながら、エナメルはプラスチックフィルム又はスライドガラス上に噴霧される必要があり、それからＯＬＥＤデバイスに転写される。中間コーティング段階の必要無く、ＯＬＥＤ表面に直接適用されることができるコーティングに対する需要がある。
【０００９】
ＵＳ  ６  ５０１  ２１８のエナメルコーティングは、これが噴霧されている基板がストレスを受けるか又は曲げられると、割れるか又ははがれてしまうというさらなる欠点を持つ。
【００１０】
また、装飾及び情報目的の発光パターンを含む大きな表面を得ることに高い関心があり、ＯＬＥＤ表面が発光するときにのみパターンが目に見えるならば、多くの場合望ましい。
【００１１】
さらに、例えばＯＰＶから電圧を供給されるデバイスの外観を妨げないように、ユーザに見えないようにすることができるＯＰＶデバイスを提供することに関心がある。
【発明の概要】
【発明が解決しようとする課題】
【００１２】
本発明の目的は、従来技術の問題のうちの少なくともいくつかを少なくとも部分的に排除すること、及び、動作状態でない限り観察者から実質的に隠される改良された有機光電子デバイスを提供することである。
【課題を解決するための手段】
【００１３】
従って、第一の態様において、本発明は、間に有機光電子材料が挟まれる後部電極と前部電極を少なくとも有し、該後部電極が反射性である、少なくとも１つの光電子活性領域と、該前部電極の前に配置されるカバー層とを有する、光電子デバイスを提供する。該カバー層は、少なくとも部分的に加水分解されたシリカゾルの透明マトリクスに分散された第一の材料の光散乱粒子を有する材料を有する。
【００１４】
カバー層は散乱粒子のために高散乱特性を持つ。従ってこれは、カバー層の向こう側に配置された構造が見えないように、高い隠蔽力を持つ。しかしながら、光はこの層を通過することができる。
【００１５】
少なくとも部分的に加水分解されたシリカゾルは、ストレス下において強い耐亀裂性を持ち、それ故、光電子デバイスがストレスを受けやすいときに有利に使用されることができる。
【００１６】
少なくとも部分的に加水分解されたゾルは、前加水分解されたシリカゾルの乾燥を通して便利に得られることができ、これは室温でなされることができる。このカバー層材料は、さもなければＯＬＥＤ機能に対して悪影響を及ぼす溶媒及び／又は高い温度無しに得られることができる。さらに、これは基本的に非吸収性であり、散乱粒子を含むことはカバー層を高散乱性にする。
【００１７】
本発明の実施形態において、光電子材料はエレクトロルミネセンス材料であり得る。
【００１８】
光電子材料がエレクトロルミネセンス材料である場合、本発明の光電子デバイスはＯＬＥＤ（有機発光ダイオード）デバイスである。ＯＬＥＤはカバー層を通して周囲へ発光する。
【００１９】
ＯＬＥＤによって発光される光はカバー層によって受光され、この光の一部分（Ｔ）はカバー層を通して透過される。光の別の部分（１−Ｔ）はＯＬＥＤの方へ戻って反射される。この光のこの部分（Ｒ（１−Ｔ））は、Ｒは反射電極の反射率であるが、ＯＬＥＤの反射電極における反射後にカバー層によってもう一度受光される。この第二の光Ｔ（１−Ｔ）Ｒの部分はカバー層を通して透過されるが、別の部分Ｔ（１−Ｔ）２ＲはＯＬＥＤの方へ戻って反射される。これはカバー層を通して透過される光が無くなるまで続く。結果として、ＯＬＥＤによって発光され、カバー層を通して透過される光の部分は、カバー層の透過率に基づいて予想されるよりも著しく高くなる。従って、動作中、ＯＬＥＤによって発光される光はカバー層を通してはっきりと見える。しかし非動作状態においては、ＯＬＥＤ構造は基本的にカバー層を通して目に見えない。
【００２０】
本発明の他の実施形態において、有機光電子材料は有機太陽光発電材料であり得る。
【００２１】
光電子材料が有機太陽光発電材料である場合、本発明のデバイスは光を電圧に変換することができるＯＰＶ（有機太陽光発電デバイス）である。
【００２２】
本発明に従ってＯＰＶをカバー層の後ろに配置することは、こうしたＯＰＶが必要とされる異なるデバイスにおいてこれらが隠されることができるように、ＯＰＶの構造を観察者に見えないようにする。ＯＰＶは散光とうまく機能するので、カバー層の散乱特性はＯＰＶの機能を妨げることがない。
【００２３】
本発明に従うデバイスは有機エレクトロルミネセンス材料と有機太陽光発電材料の両方を有してもよく、例えばデバイスの1つの領域は有機ベースの発光デバイスとしてはたらき、デバイスの別の領域は有機ベースの太陽電池としてはたらくことが留意される。
【００２４】
本発明の実施形態において、上記カバー層は、上記少なくとも１つの光電子活性領域に重ね合わされ、上記少なくとも１つの光電子活性領域の全表面を少なくとも覆う。
【００２５】
光電子表面全体をカバー層で覆うことで、光電子デバイスを隠す、すなわち、基本的に観察者に見えないようにする。ＯＬＥＤデバイスにおいて、これはデバイスが動作状態になるまで隠されたままであり得る。
【００２６】
本発明の実施形態において、デバイスは少なくとも第一及び第二の光電子活性領域を有し得、該領域は並んで配置され、その間に間隙領域を形成するために相互に間隙を介し、上記カバー層は上記第一及び第二の光電子活性領域に重ね合わされ、上記第一及び第二の光電子活性領域と上記間隙領域の複合表面を少なくとも覆う。
【００２７】
２つ以上のＯＬＥＤ及びＯＬＥＤ間の間隙を１つの同じカバー層で覆うことで、上述のように発光デバイスが動作状態になるまで隠されていても、カバー層の表面に表示されることができる光パターンを提供する。太陽光発電デバイスの場合、カバー層の表面はその後ろに配置される複数のデバイスの存在を明らかにしない。
【００２８】
本発明の実施形態において、上記透明マトリクスはシリカゾルゲルである。
【００２９】
ゾルゲルは部分的に加水分解されたシリカゾルのさらなる乾燥によって得られ得る。これは室温、又は少なくとも光電子部品を損傷しない温度でなされることができ、また、光電子部品に有害な溶媒などの化合物を使用せずになされることができる。シリカゾルゲルはさらに、引っかきなどの機械的影響に良い耐性を持つガラス状材料である。
【００３０】
本発明の実施形態において、上記カバー層は５０乃至９５％の範囲の反射率を持ち得る。
【００３１】
好ましくは、光電子デバイスの構造を隠す能力と、十分な光を発光する能力の折衷を維持するために、カバー層の反射率は上記範囲内である。ＯＬＥＤデバイスの場合、ＯＬＥＤは非動作状態において隠されているが、カバー層はＯＬＥＤによって発光される光を通過させる。
【００３２】
本発明の実施形態において、上記第一の材料の上記粒子の屈折率は透明マトリクスの屈折率よりも高い。
【００３３】
低屈折率の材料の中に高屈折率の粒子を分散させることによって、良い散乱効果が得られる。
【００３４】
本発明の実施形態において、上記第一の材料の上記粒子は、上記カバー層材料の約１０乃至約８０重量％、好ましくは１５乃至７０重量％を占める。
【００３５】
カバー層に良い散乱効果を与えるために、光散乱粒子は上記の濃度でカバー層に含まれる。
【００３６】
第二の態様において、本発明は、デバイスの外側縁を少なくとも部分的に囲むフレームに配置される本発明の第一の態様のデバイスを有する装置に関し、上記カバー層は上記少なくとも1つのデバイスと、上記フレームの少なくとも一部分を覆う。
【００３７】
光電子デバイスとその周囲のフレームの両方を同じカバー材料で覆うことで、光電子デバイスが効果的に隠されることを可能にする。これは、フレームからＯＬＥＤへの移行部が、（ＯＬＥＤの）非動作状態において単なる目視検査によって外側から容易に検出されないためである。
【００３８】
第三の態様において、本発明は、本発明に従う光電子デバイスの製造のための方法に関し、該方法は光電子デバイスを提供するステップと、上記第一の材料の粒子が中に分散された、任意に前加水分解されたシリカゾルを提供するステップと、上記光電子デバイスの上記前部電極の前に上記シリカゾルの層を配置するステップと、上記層を乾燥させるステップとを有する。
【００３９】
本発明は添付の請求項の全ての可能な組み合わせに関することがさらに留意される。
【００４０】
本発明のこれらの及び他の態様は、本発明の現在好適な実施形態を示す添付の図面を参照して、より詳細に記載される。
【図面の簡単な説明】
【００４１】
【図１】図１は本発明の発光デバイスを断面図で概略的に図示する。
【図２ａ】図２ａはオフ状態における本発明のＯＬＥＤベースの装置を平面図で概略的に図示する。
【図２ｂ】図２ｂはオン状態における図２ａの装置を平面図で概略的に図示する。
【発明を実施するための形態】
【００４２】
本発明は、一対の電極、後部電極と前部電極を有する有機光電子デバイスに関し、これらの電極の間に有機光電子材料が挟まれ、後部電極は反射性で、一方前部電極の前にカバー層が配置される。
【００４３】
発光デバイス１００、すなわち、有機光電子材料が本発明に従うエレクトロルミネセンス材料である有機光電子デバイスが図１に概略的に図示され、２つのＯＬＥＤ活性領域１０１及び１０１'を有する。各ＯＬＥＤ活性領域１０１，１０１'は、後部電極１０２と前部電極１０３の間に配置された、すなわち挟まれた有機エレクトロルミネセンス材料１０４を有する。ＯＬＥＤ活性領域１０１は、エレクトロルミネセンス材料１０４が２つの電極１０２，１０３の間に挟まれる領域と定義される。隣接するＯＬＥＤ活性領域１０１，１０１'の間の領域は、以下、間隙領域１０６と示される。
【００４４】
本明細書で使用される、カバー層が前部電極の前に配置されるという文脈における"〜の前に配置される"という用語は、カバー層がデバイスの前部電極とデバイスの外部環境との間に配置されることを意味する。ＯＬＥＤデバイスの場合、これはカバー層がＯＬＥＤによって発光される光を受光し、これを周囲へ伝えることを意味する。ＯＰＶデバイスの場合、これは周辺光が前部電極を通過する前にカバー層を通過し、太陽光発電層に到達することを意味する。
【００４５】
図１の実施形態において、前部電極１０３はＯＬＥＤデバイスの発光側（前側）をあらわすように透明であり、一方後部電極１０２は反射性である。
【００４６】
電極、及び有機エレクトロルミネセンス材料又は有機太陽光発電材料に適した材料は当業者に周知であり、本明細書では詳細に論じられない。しかし典型的には、透過性前部電極はＩＴＯ（インジウム‐スズ酸化物）などの透明な導電性材料から作られ、反射性後部電極は金属又は金属被覆材料などの反射性導電性材料から作られ得る。
【００４７】
有機光電子材料は、当技術分野で周知の通り、高分子材料又は有機小分子を有する材料であり得る。
【００４８】
当技術分野で周知の通り、光電子デバイスは通常はさらに、障壁層、一様な電流分布のための金属シャント、緩衝層、及び基板などの追加層を有し得る。しかしながら便宜上、こうした層の記載は、その位置及び使用が当業者に周知であるため省略される。発光デバイス１００などの光電子デバイスはさらに、典型的には当技術分野で慣行の駆動電子機器（図示せず）を有する。
【００４９】
カバー層１０５は、ＯＬＥＤ活性領域１０１，１０１'の上面に、前部電極１０３の前に配置され、これらの活性領域の間に位置する間隙領域１０６も覆う。
【００５０】
カバー層１０５は、前部電極とカバー層１０５の間に位置する基板１０７上に配置される。基板は、例えばガラス又はプラスチックであってもよく、例えば活性層を水及び／又は酸素から保護する緩衝層を有してもよい。
【００５１】
カバー層は、少なくとも部分的に加水分解されたシリカゾルゲルの基本的に非吸収性のマトリクス１１１を有し、この中に散乱粒子１１０が分散される。
【００５２】
典型的には、マトリクス１１１はシリカゾルゲルであり、これは透明で、硬質で、傷がつきにくく、ガラス状材料であるという利点を持つ。
【００５３】
散乱粒子１１０は通常、周囲のマトリクス１１１よりも高い屈折率を持つ材料である。例えば、散乱粒子の屈折率は好ましくは少なくとも２．０である。周囲のマトリクスは典型的には約１．３乃至１．６の屈折率を持つ。
【００５４】
散乱粒子１１０は通常、ＴｉＯ２アナターゼ、ＴｉＯ２ルチル、ＺｒＯ２、Ｔａ２Ｏ５、ＺｎＳ、ＺｎＳｅ、又はこれらの２つ以上の混合物から成る群から選択される材料から作られる。
【００５５】
これらの材料は、上記マトリクスに分散される基本的に非吸収性の散乱粒子に適した材料の良い例である。
【００５６】
散乱粒子は通常、上記カバー層材料の約１０乃至約８０重量％、好ましくは１５乃至７０重量％を占める。
【００５７】
光散乱粒子は、カバー層において良い散乱効果をもたらすために上記の範囲内の濃度でカバー層に含まれる。
【００５８】
散乱粒子１１０の粒径は、最大散乱効果を得るためにＯＬＥＤによって発光される光の色に一致するように選択されることができる。このため平均粒径は発光された光の波長に近くなければならない。従って、散乱粒子の平均粒径は１００乃至１０００ｎｍ、好ましくは２００乃至８００ｎｍ（すなわちＵＶから可視光までの波長範囲）に及ぶ。
【００５９】
マトリクス中の散乱粒子１１０の濃度、及びカバー層１０５の厚みは、通常、ＯＬＥＤ活性領域が非動作（オフ）状態であるときにＯＬＥＤ構造を隠すが、ＯＬＥＤ活性領域によって発光される光がカバー層１０５を透過することを可能にするコーティングを得るために選ばれる。
【００６０】
典型的にはパスあたり５０％を超える反射率を持つコーティング層が望ましく、好ましくは７５％を超え、例えば８５％を超え、これによって良い隠蔽力が得られる。
【００６１】
カバー層の厚みは通常、良い隠蔽特性と所望の透過率をもたらすために１μｍ乃至５０μｍである。
【００６２】
理想的な場合、非吸収性のカバー層と仮定すれば、カバー層を通るＯＬＥＤによって発光される光の全透過率は次のように計算されることができる。
【数１】
0005791904.tif 000002
Ｔはカバー層を通るパスあたりの透過率（１−反射率）であり、ＲはＯＬＥＤ活性領域の反射電極の反射率である。
【００６３】
本発明のデバイスの代表値である、Ｔが２０％（８０％反射）及びＲが８０％の値の場合、Ｔｔｏｔは０．６に等しい。
【００６４】
従って、ＯＬＥＤ活性領域によって発光される光はカバー層を通してはっきりと見えるが、ＯＬＥＤ構造はオフ状態においてカバー層を通して実質的に目に見えない。カバー層１０５は例えば次のように得られ得る。
【００６５】
アルコキシシランの水溶液を、例えば触媒としてはたらく酸で前加水分解することによって、シリカ前駆体ゾルゲルが得られる。
【００６６】
シリカ粒子の懸濁液が前加水分解ゾルに加えられる。そして散乱粒子１１０がこの混合物に加えられる。
【００６７】
得られる混合物は、ローラーベンチなどの当業者に既知の手段によって均質化されることができる。その結果安定な懸濁液が得られる。冷凍庫に入れておけば、懸濁液は少なくとも２カ月の保存期間を持つ。
【００６８】
そして懸濁液は、例えばスピンコーティング、スプレーコーティング、又はドクターブレードコーティングなど、任意の従来使用されるコーティング法を用いてＯＬＥＤ表面にコーティングされ得る。
【００６９】
被膜は室温で乾燥させられ、透過率と隠蔽特性の所望の折衷を有する硬質の保護カバー層を得るために、さらなる熱処理は必要ない。
【００７０】
使用されるＯＬＥＤは一様なタイルであってもよく、又はコーティング前に目に見えるパターン化された絵若しくは他の雰囲気を創り出すデザインを有してもよい。
【００７１】
上記の実施形態は、有機エレクトロルミネセンス材料が有機太陽光発電材料に置き換えられる場合は、有機太陽光発電デバイス（ＯＰＶ）にも適用され得ることが当業者に明らかであろう。
【００７２】
典型的には、ＯＰＶ（有機太陽電池としても知られる）は、日光又は室内光などの光を電気エネルギーへ変換することによって、何らかの電子デバイス（例えばＯＬＥＤ）を駆動するために使用される。観察者から隠される本発明のＯＰＶは、例えばＯＰＶが電圧を供給するデバイスの外観をＯＰＶが妨げるべきではないことが望まれる場合など、多くの用途において有利である。ＯＰＶはもう目に見えないので、デザインの観点からこの方法の適用性が高められる。このような応用の実施例は、太陽電池駆動時計、ＰＤＡ、携帯電話など、ＯＰＶが太陽電池としてはたらく場合を含むが、これらに限定されない。
【００７３】
ＯＰＶの機能のために、デバイスの光変換効率に大きく影響しないように、利用される光は非常に良く散乱され得る。従って、ＯＰＶは本発明のようにカバー層の後ろに有利に位置し得る。
【００７４】
しかしながら、本発明の光電子デバイスがＯＰＶである場合、カバー層の透過率は好ましくはＯＬＥＤの実施形態における上記のように限定されない。代わりに、カバー層は通常、パスあたり少なくとも５０％など、パスあたり少なくとも２０％の透過率（パスあたり８０％未満の反射率）を持つように選択される。しかしながら、カバー層は通常、良い隠蔽特性を持つように、すなわち高散乱性であるように選択される。
【００７５】
本発明のデバイスは表面に埋め込まれてもよく、表面材料のフレームによって少なくとも部分的に囲まれ、ここでデバイス及びフレーム材料の両方が同じカバー層材料によって覆われる。従って、デバイスの位置は観察者から隠される（ＯＬＥＤデバイスの場合、少なくともデバイスがオン状態になって発光するまで）。これは、情報を素早く表示するため、警告標識のため、又は壁の芸術的パターンのために、必要に応じて多数の用途で使用され得る。
【００７６】
普通の壁２００に埋め込まれる本発明の発光デバイス１００を有するかかる装置が、図２ａ及び図２ｂに図示される。図２ａにおいて発光デバイスはオフ状態であり、破線は発光デバイス１００の位置のみを示す。中に発光デバイス１００が配置されるフレームを形成するために、開口部が壁２００に切り込まれる。カバー層１０５は発光デバイス１００を覆うだけでなく、壁２００を覆うためにも使用される。
【００７７】
図２ｂにおいて、発光デバイス１００がオンになるとき、"ＦＩＲＥ  ＥＸＩＴ"の文字、及び所望の方向を指す矢印が壁で点灯される。これは当然、周囲材料のフレームに配置される発光デバイスの装置の１つの可能な使用をあらわすに過ぎない。
【００７８】
本発明において使用されるようなシリカゾルゲルに基づくカバー層材料は、ＯＬＥＤ表面だけでなく、限定はされないが、例えばガラス、金属、セラミック、プラスチック、又は木の表面などの他の表面にも付着する。従って、本発明の発光デバイスは事実上いかなる材料のフレームにも配置されることができる。ＯＬＥＤ発光デバイスは柔軟な／曲げられる実施形態で作られることができ、本発明の発光デバイスは例えば柱などの曲面に配置され得る。
【００７９】
当業者は、デバイス及びフレーム材料の両方が同じカバー層材料で覆われる、フレームによって部分的に囲まれる光電子デバイスのこうした装置が、ＯＰＶデバイスにも適用可能であることがわかるだろう。
【００８０】
上記の実施形態において、カバー層は光電子デバイスの活性領域以上を覆う。しかしながら本発明の他の実施形態（図示せず）において、カバー層は、光電子デバイスの実際の層構造がカバー層によって隠されていても活性領域の形状又はパターンがはっきりと目に見えるように、活性領域のみを覆うか、又は基本的に活性領域のみを覆う。例えば、カバー層は染料又は色素の導入によってはっきりと目に見えるようにされてもよい。
【００８１】
当業者は、本発明が上記の好ましい実施形態に決して限定されないことがわかるだろう。逆に、多くの改良及び変更が添付の請求項の範囲内で可能である。
【００８２】
例えば、カバー層に所望の色を与えるために、カバー層材料が色素又は染料を含んでもよい。
【図１】
0005791904.tif 000003
【図２ａ】
0005791904.tif 000004
【図２ｂ】
0005791904.tif 000005